(57)【要約】【課題】  簡単な構造で、カーペットが敷かれた床面と什器類との間に設置することにより、地震などで什器類が振動する際の、床との離間を極力抑制し得る離間防止マットと、それを用いた振動吸収装置を提供する【解決手段】  一方が平滑な面を有し、他方に先端がＴ字型、鏃型、フック型、キノコ型などの形状を有し、カーペット表面のパイル糸の編み込みによって形成されるループに係合し得る突起物素子４を、一体に接合した板状の部材２を有する離間防止マット１を調製し、什器類の床面側には配した粘弾性体からなる振動吸収体８側に、平滑な面を向け、床面側に突起物素子４を接合した側を向けて配置する。前記板状部材２の曲げ弾性率を、１００ＭＰａ以上とし、前記突起物素子４を構成する材料の曲げ弾性率を、７００ＭＰａとすることで床との離間が極めて起こり難い振動吸収装置が得られる。【選択図】図２
2014198449.tif 000002
【特許請求の範囲】
【請求項１】
半円環板状の部材を有し、振動吸収体をカーペットに設置した際に、前記半円環振動吸収体とカーペットの間に配置するための、離間防止マットであって、前記半円環状板状部材の前記振動吸収体に接する側の面は平滑であり、前記半円環板状部材のカーペットに接する側の面には、カーペットを構成するパイル糸からなるループに係合する部位を有する複数個の突起物素子が一体に配されてなり、前記突起物素子は曲げ弾性率が７００ＭＰａ以上の高分子材料で成形されており、前記半円環板状部材の曲げ弾性率が１００ＭＰａ以上であることを特徴とする離間防止マット。
【請求項２】
（１）キャスターと、
（２）前記キャスターを移動方向に水平面内で旋回させるための旋回軸に、取り付け高さが調整可能な状態で取り付けられ、前記キャスターよりも高く形成されてなる鉛直方向の立ち上がり部と、前記立ち上がり部の下端に前記キャスターを囲む状態で設けられ、床面に対向する水平面を形成するフランジ部材を具備してなるキャスターカバーと、
（３）少なくとも一部または全部が、前記キャスターカバーの前記フランジ部の水平面に当接する粘弾性体からなる振動吸収体と、
（４）前記振動吸収体材の下面に配されてなる、請求項１に記載の離間防止マットと
を有することを特徴とする振動吸収装置。
【発明の詳細な説明】
【技術分野】
【０００１】  本発明は、地震などの振動を吸収し、事務機や各種キャビネットなどの什器を保護するために、床面重機との間に設置するマットと、それを用いた振動吸収装置に関わり、特にカーペットまたはタイルカーペットが敷設された床面に有用なものに関わるものである。
【背景技術】
【０００２】  我が国は、いわば地震大国であり、度々地震に襲われ、大きな被害を受けている。これに対処するため、近年の建築物は、耐震性を十分に考慮した設計となっていて、これまでに経験した中で最も揺れの強い地震が発生しても、倒壊することは少なくなっている。【０００３】  しかしながら、建築物の倒壊を防止できても、屋内において、振動で倒れた家具類の下敷きになったり、移動した家具類の間に挟まれたりして、被害を受けるケースが生じている。この対策としては、背の高い棚類は、適当な手段を用いて背後の壁に固定するなどの方法が推奨されている。【０００４】  また一方で、特に高層建築内のオフィスにおいては、広いフロアに、書類を収容したキャビネットや、複写機、事務机など、比較的重い什器が所狭しと配置されている場合が多く、それらを壁などに固定することは困難である。しかも、オフィス内では、業務の都合上、レイアウトを変更することがあり、この問題の解決を一層困難にしている。【０００５】  これに対処するために、比較的移動が容易で、什器類と床面の間に設置することで振動を吸収し得る器具類が要望されていて、本発明者らは、粘弾性からなる振動吸収体を具備したキャスターを特許出願している。ところが、近年のオフィスにおいては、床がカーペットやタイルカーペット敷きとなっていることがある。図１はキャスター９ａを、振動吸収体８を介してカーペット７の上に、固定設置した状態の一例を示す斜視図である。図１において、６はパイル糸で構成されるループ、１６は床面、１８ａはキャスターの固定具である。【０００６】  図１に示したように、カーペットは、パイル糸をループ状に編み込んだ構造であることが多く、粘弾性体とカーペットの間が滑らないようにするには困難で、離間が生じやすいという問題がある。【０００７】  このような問題に対処するためね、例えば特許文献１には、キャスターの外周とキャスターが当接する面にマジックテープ（登録商標）のような面ファスナーを装着して、キャスターが転がらないようにできることが開示されている。しかし、ここに開示されている技術では、前記の粘弾性の離間には適用できない。【０００８】  また、特許文献２には滑り防止のため、基布裏面にゴム層が一体化されているタフッテッドカーペットの該ゴム層側に面ファスナーＡが一体化されたタフッテッドカーペットと、面ファスナーＢが一体化されたスチレン系エラストマーシートとが、該面ファスナーＡと面ファスナーＢが係合することによりタフテッドカーペット裏面にスチレン系エラストマーシートが固定されている防滑性カーペットが開示されている。しかし、これも前記の問題には、必ずしも十分に対処することはできない。【０００９】  さらに特許文献３には、膨頭型の係合素子を、他方のシート状物の繊維表面側内のルーズなループまたはパイル間に入るように押し当てることによる、シート状物の連結方法が開示され、特許文献４には、着脱が滑らかなＴ型と逆Ｌ型の係合素子を利用した、ファスナー部材が提案されている。しかし、これら方法も前記の問題には十分に対処することは困難である。
【先行技術文献】
【特許文献】
【００１０】
【特許文献１】  特開２０１１−１５８０８０号公報
【特許文献２】  特開２０１２−１１０５７１号公報
【特許文献３】  特開平０６−１２３０６１号公報
【特許文献４】  特開平０６−１３３８０８号公報
【発明の概要】
【発明が解決しようとする課題】
【００１１】  従って。本発明の課題は、簡単な構造で、カーペットが敷かれた床面と什器類との間に設置することにより、地震などで什器類が振動する際の、床との離間を極力抑制し得る離間防止マットと、それを用いた振動吸収装置を提供することにある。
【課題を解決するための手段】
【００１２】  本発明は、前記の課題に鑑み、粘弾性は平滑な面に密着して、滑りが生じ難いことと、カーペット表面に存在するループを利用することにより、振動吸収体の離間を防止することを検討した結果、なされたものである。【００１３】  即ち、本発明は、半円環板状の部材を有し、振動吸収体をカーペットに設置した際に、前記振動吸収体とカーペットの間に配置するための、離間防止マットであって、前記半円環板状部材の前記振動吸収体に接する側の面は平滑であり、前記半円環板状部材のカーペットに接する側の面には、カーペットを構成するパイル糸からなるループに係合する部位を有する複数個の突起物素子が一体に配されてなり、前記突起物素子は曲げ弾性率が７００ＭＰａ以上の高分子材料で成形されており、前記半円環板状部材の曲げ弾性率が１００ＭＰａ以上であることを特徴とする離間防止マットである。【００１４】  また、本発明は、
（１）キャスターと、
（２）前記キャスターを移動方向に水平面内で旋回させるための旋回軸に、取り付け高さが調整可能な状態で取り付けられ、前記キャスターよりも高く形成されてなる鉛直方向の立ち上がり部と、前記立ち上がり部の下端に前記キャスターを囲む状態で設けられ、床面に対向する水平面を形成するフランジ部材を具備してなるキャスターカバーと、
（３）少なくとも一部または全部が、前記キャスターカバーの前記フランジ部の水平面に当接する粘弾性からなる震動吸収体と、
（４）前記震動吸収体材の下面に配されてなる、前記の離間防止マットと
を有することを特徴とする震動吸収装置である。
【発明の効果】
【００１５】  本発明による離間防止マットは、前記のように、粘弾性体からなる振動吸収体側が、平滑な面を有し、カーペット側には、カーペット表面のループと係合する部分を有する突起物素子が配されているので、地震などの振動で、載置された什器類が振動で動いたり、カーペットが敷かれた床と離間したりすることを極めて少なくすることができる。【００１６】  本発明の離間防止マットに用いる半円環板状部材の弾性率を、１００ＭＰａ以上としたのは、ある程度の機械的強度を具備した材料を用いないと、重量の大きな什器類の載置に耐えられないからである。また、突起物素子を構成する高分子材料の曲げ弾性率を７００ＭＰａ以上と限定したのも、同様の理由による。なお、前記の曲げ弾性率を有する材料であれば、金属材料でも使用可能であるが、材料の重さや製造のコストを考慮すると、高分子材料が望ましい。【００１７】  また、カーペット側に配置する突起物素子の形状は、カーペット表面のループに係合し得るものであれば特に限定されないが、例えばＴ字型、鏃型、フック型、キノコ型などが挙げられる。
【図面の簡単な説明】
【００１７】
【図１】  キャスターを、振動吸収体を介してカーペットの上に、固定設置した状態の一例を示す斜視図。
【図２】  本発明に係る離間防止マットの一例を示す図。
【図３】  本発明に係る離間防止マットを用いた振動吸収装置の一例を示す図、図３（ａ）は断面図、図３（ｂ）は、離間防止マットの一例の平面図、図３（ｃ）は離間防止マットへの振動吸収体の配置状態を示す図。
【図４】  図３に示した振動吸収装置を床と複写機の間に配した一例を示す正面図。
【図５】  本発明に係る振動吸収装置の別の例と、当該振動吸収装置をキャビネットと床面の間に配した例を示す図、５（ａ）は振動吸収装置の斜視図、図５（ｂ）はキャビネットと床面の間に振動吸収装置を配した状態の正面図。
【図６】  本発明に係る離間防止マットで突起物素子をＴ字型にした例を示す図。
【図７】  本発明に係る突起部素子の形状の例を示す図で、図７（ａ）は２段鏃型の例、図７（ｂ）はフック型の例、図７（ｃ）はキノコ型の例。
【発明を実施するための形態】
【００１８】  次に、本発明の実施の形態について、具体的な図を参照しながら説明する。
【００１９】  図２は、本発明に係る離間防止マットの一例を示す図である。図１において、１は離間防止マット、２は板状部材、３は接合層、４は突起物素子、５は突起物素子取付基板である。
【００２０】  また、図３、本発明に係る離間防止マットを用いた振動吸収装置の一例を示す図で、図３（ａ）は断面図、図３（ｂ）は、半円環状離間防止マットの一例の平面図、図３（ｃ）は離間防止マットへの振動吸収体の配置状態を示す図である。図３において、９ｂはキャスター、１０はキャスターカバー、１１はフランジ部材、１１ａは立ち上がり部、１２はキャスターの旋回軸、１３は高さ調整用雄ネジ、１４及び１５は高さ調整用ナットである。
【００２１】  ここでは、離間防止マット１として、配置する際の作業性を考慮して、円環の二等分した形状のものを使用しているが、この形状は、キャスター９ｂの周囲を取り囲む形状であれば特に限定されず、たとえば八角形のような多角形の環を分割したいものでも使用できる。
【００２２】  そして、図（ａ）３に示したように、突起部物素子４をカーペット側に配することにより、突起物素子４の先端部分とパイル糸のループが絡み合うことにより、地震などにより震動を受けた際において、振動吸収体と床面との離間を未然に防止できる。図４は、図３に示した振動吸収装置を床と複写機の間に配した一例を示す正面図である。
【００２３】  震動吸収体８は、粘弾性体であり、自己粘着性が強く、反発弾性が強く、そして、圧縮永久歪みが小さい材質によって構成され、例えば耐震マット素材などにも用いられるウレタンエラストマー、スチレン系エラストマー、シリコンゲル、ウレタンゲルなどを素材とし、用途によって好適なものが選択され、その粘着力も適宜設定可能である。粘弾性体はアスカーＣ２０〜Ｃ６０程度の硬度のものが使用可能であり、床面への密着性を高めるために、望ましくは、アスカーＣ２０〜Ｃ２４が用いられる。また、粘弾性体は、損失正接ｔａｎδが大きいほど、震動の吸収効果が高く、かつ反発弾性率が小さくなる。自己密着性を備え、震動を吸収するためには、反発弾性率０〜４０程度が好ましい。
【００２４】  また、図３（ｃ）においては、振動吸収体８を、８枚貼り付けた例を示しているが、フランジ部１１に、最大１２枚貼着できる大きさに設計され、その寸法例として、フランジ部材１１の半径方向幅（外周半径と内周半径の差）が２４ｍｍ程度とすると、台形の上底３４ｍｍ、下底４３ｍｍ、高さ２０ｍｍ程度である。そして、この形状・寸法を標準形状として、荷重の大きさに応じて、フランジ１１に取り付けられる振動吸収体８の枚数を調節する。
【００２５】  図５は本発明に係る振動吸収装置の別の例と、当該振動吸収装置をキャビネットと床面の間に配した例を示す図で、図５（ａ）は振動吸収装置の斜視図、図５（ｂ）はキャビネットと床面の間に、振動吸収装置を配した状態の正面図である。図２に示した例においては、突起物素子の形状がキノコ型であるが、この例は、鏃型の突起物素子を用いている。図５において、１５ａは高さ調整ナット、１７はフランジ部材延長部、１８は突起物素子である。
【００２６】  図６は、本発明に係る離間防止マットで突起物素子をＴ字型にした例を示す図である。図において、１９は突起物素子の基部、１９ａは突起物素子の係合部である。また、図７は本発明に係る突起部素子の形状の例を示す図で、図７（ａ）は２段鏃型、図７（ｂ）はフック型、図７（ｃ）はキノコ型の例を示す。図７において、２０、２１、２２は突起物素子の基部、２０ａ、２１ａ、２２ａは突起物素子の係合部である。
【００２７】  カーペット表面のパイル糸のループの向きは、必ずしも一定方向に配されているわけではないので、突起物素子の係合部の形状や向きは、離間防止機能に影響を及ぼすことが考えられ、キノコ型が最もその影響が少ない。
【００２８】  なお、通常の耐震マットと本発明の振動吸収体を用いた場合の比較のために、床面に垂直な方向に力を負荷した際に、複合事務機器が床から離れる力を測定したところ、表１に示す結果が得られた。この結果から明らかなように、粘弾性体を振動吸収体として用いた方が、振動吸収装置として優れていることが検証できた。
【００２９】
【表１】
2014198449.tif 000003
【００３０】  また、前記のように、突起物素子の形状と離間力の間には密接な関係があると推定されるので、４種の突起物素子につい、離間させる方向を変えながら、離間力を測定した。その結果を表２に示した。表２に示したように、これらの結果では、Ｔ字型が最大に離間力をした。これは、Ｔ字型の突起物素子には、パイル糸のループと係合する部分が２箇所あるためと解される。
【表２】
2014198449.tif 000004
【００３１】  以上に説明したように、本発明によれば、カーペットやタイルカーペットが敷設された床面に、什器を設置する際に有用で、しかも移動も容易な離間防止マットとそれを用いた振動吸収装置を提供することができる。これによって防災対策向上に資するところは大きく、産業上有益である。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３２】１・・・離間防止マット    ２・・・半円環板状部材    ３・・・接合層
４・・・突起物素子    ５・・・突起物素子取付基板
６・・・パイル糸のループ    ７・・・カーペット    ８・・・振動吸収体
９ａ，９ｂ・・・キャスター    １１・・・フランジ部材
１１・・・立ち上がり部    １２・・・旋回軸    １３・・・高さ調整用雄ネジ
１４，１５，１５ａ・・・高さ調整用ナット    １６    床面
１７・・・フランジ部材延長部    １８ａ…キャスターの固定具
１９，２０，２１，２２・・・突起物素子の基部
１９ａ，２０ａ，２１ａ，２２ａ・・・突起物素子の係合部
【図１】
2014198449.tif 000005
【図２】
2014198449.tif 000006
【図３】
2014198449.tif 000007
【図４】
2014198449.tif 000008
【図５】
2014198449.tif 000009
【図６】
2014198449.tif 000010
【図７】
2014198449.tif 000011